(57)【要約】      （修正有）【課題】一つでサッシの二種類の溝幅に対応できるサッシ用溝清掃用具を提供する。【解決手段】二以上の幅の異なる溝を有するサッシ用の溝清掃用具として、四角柱であって、横断面における一方向の幅が前記溝のうちの一の溝幅に適合し、横断面における他方向の幅が前記溝のうちの別の溝幅に適合する四角柱からなる本体部１１と、前記本体部１１の一端側において、ヘラ状になるように前記他方向の幅を挟む一又は二の角を斜めに切り取った形状を有する第一ヘラ部１２と、前記本体部の他端側において、ヘラ状になるように前記一方向の幅を挟む一又は二の角を斜めに切り取った形状を有する第二ヘラ部１３とを有し、さらに前記本体部の一端側若しくは他端側に係合固定されるブロック体からなり、外側面にブラシ２２が設けられるアダプタ２０を有するものである。【選択図】図１
0003180484.tif 000002
【実用新案登録請求の範囲】
【請求項１】
二以上の幅の異なる溝を有するサッシ用の溝清掃用具であって、
四角柱であって、横断面における一方向の幅が前記溝のうちの一の溝幅に適合し、横断面における他方向の幅が前記溝のうちの別の溝幅に適合する四角柱からなる本体部と、
前記本体部の一端側において、ヘラ状になるように前記他方向の幅を挟む一又は二の角を斜めに切り取った形状を有する第一ヘラ部と、
前記本体部の他端側において、ヘラ状になるように前記一方向の幅を挟む一又は二の角を斜めに切り取った形状を有する第二ヘラ部と
を有するサッシ用溝清掃用具。
【請求項２】
前記本体部が嵌る四角い穴が形成されることで、前記本体部の一端側若しくは他端側に係合固定されるブロック体からなり、外側面にブラシが設けられるアダプタを有する請求項１に記載サッシ用溝清掃用具。
【考案の詳細な説明】
【技術分野】
【０００１】
本考案はサッシの溝を清掃する器具に関する。
【背景技術】
【０００２】
サッシの溝は、外からの砂や埃を受け、雨に晒されるので、汚れがこびりつきやすく、こびりついた汚れは、掃除機やブラシでは容易に取れないことも多い。このような汚れに対応するものとして、下記特許文献には、サッシの溝に用いることができるヘラが示されている。このようヘラを用いると、比較的容易にサッシの溝にこびりついた汚れを取ることができる。
【先行技術文献】
【特許文献】
【０００３】
【特許文献１】実用新案登録第3052422号公報
【特許文献２】実用新案登録第3120907号公報
【考案の概要】
【考案が解決しようとする課題】
【０００４】
ところで、ヘラの幅はサッシの溝幅に適合する幅とするのが効率的であるが、上記特許文献に記載のヘラはサッシの溝幅よりもかなり狭いヘラが示されている。これは一つのサッシにおける溝幅は窓ガラス枠用と網戸枠用とで幅が異なるため、一つの溝幅に合わせることができないためである。
本考案は、このような問題に鑑みて、一つでサッシの二種類の溝幅に対応できるサッシ用溝清掃用具を提供することを課題とする。
【課題を解決するための手段】
【０００５】
上記課題を解決するために、本考案は次のような構成を有する。
請求項１に記載の考案は、二以上の幅の異なる溝を有するサッシ用の溝清掃用具として、  四角柱であって、横断面における一方向の幅が前記溝のうちの一の溝幅に適合し、横断面における他方向の幅が前記溝のうちの別の溝幅に適合する四角柱からなる本体部と、前記本体部の一端側において、ヘラ状になるように前記他方向の幅を挟む一又は二の角を斜めに切り取った形状を有する第一ヘラ部と、前記本体部の他端側において、ヘラ状になるように前記一方向の幅を挟む一又は二の角を斜めに切り取った形状を有する第二ヘラ部とを有するものである。
請求項２に記載の考案は、前記サッシ用溝清掃用具において、前記本体部が嵌る四角い穴が形成されることで、前記本体部の一端側若しくは他端側に係合固定されるブロック体からなり、外側面にブラシが設けられるアダプタを有するものである。
【考案の効果】
【０００６】
請求項１に記載の考案は、四角柱の本体部の一端側に形成される第一ヘラ部と、他端側に形成される第二へラ部とがぞれぞれ、サッシの異なる二つの溝幅にほぼ適合する幅を有するので一つの清掃用具で異なる幅のサッシの溝を清掃することができる。また、四角柱であることで、一端側と他端側は同じ形状の四角い穴に嵌るので、請求項２に記載の一つの四角い穴を有するアダプタを一端側からも他端側からも嵌めて固定することができる。さらに、角柱体であることから収納性がよい。
請求項２に記載の考案は、アダプタを本体部の一端側もしくは他端側に装着すれば、アダプタを設けていない側のヘラで溝内の汚れを剥がした後、すぐに、アダプタに設けたブラシで剥がした汚れを掃き集めることができ、より効果的に清掃ができる。そして、アダプタを外して本体部をひっくり返して、反対側のヘラを表出させるようにして再びアダプタを装着すれば、簡単に異なる溝幅の清掃に対応することができる。
【図面の簡単な説明】
【０００７】
【図１】実施形態に係るのサッシ用溝清掃用具の分解斜視図である。
【図２】（ａ）はヘラ本体の正面図であり、（ｂ）はヘラ本体の側面図である。
【図３】（ａ）はブラシアダプタの正面図であり、（ｂ）はブラシアダプタの側面図であり、（ｃ）はブラシアダプタの縦断面図である。
【図４】（ａ）は実施形態に係るのサッシ用溝清掃用具の第一ヘラ部を表出させた状態を示す斜視図であり、（ｂ）は実施形態に係るのサッシ用溝清掃用具の第二ヘラ部を表出させた状態を示す斜視図である。
【考案を実施するための形態】
【０００８】
以下、本考案の実施の形態について、図面を参照しながら説明する。
図１に本実施形態に係るサッシ用溝清掃用具Ｘの分解斜視図を示す。サッシ用溝清掃用具Ｘは、ヘラ本体１０、ブラシアダプタ２０とから構成される。
図２にヘラ本体１０の正面図および側面図を示す。ヘラ本体１０は、ゴム製の角柱体からなる本体部１１の両端のそれぞれに第一ヘラ部１２、第二ヘラ部１３を形成したものである。本体部１１は幅３０ｍｍ、厚さ１２ｍｍの角柱体であり中央部の外周に四角い枠状のストッパ１１が設けられている。この幅及び厚さは、サッシを構成する溝の内の二つの溝の幅から適宜定められる。第一ヘラ部１２は、本体部１１の一端側を正面視二等辺三角形の斜辺を形成するように両方の角をカットした形状を有する。これにより第一ヘラ部１２は幅１２ｍｍのヘラを構成する。第二ヘラ部１３は、本体部１１の他端側を側面視直角三角形の斜辺を形成するように一方の角をカットした形状を有する。これにより第二ヘラ部１３は幅３０ｍｍのヘラを構成する。
図３にブラシアダプタ２０の、正面図、側面図および縦断面図を示す。ブラシアダプタ２０は、ヘラ本体１０の本体部１１を構成する角柱が嵌る断面四角状の穴２１が形成されたブロック体であり、穴２１の反対側にはブラシ２２が形成されている。穴２１は本体部１１が嵌合する一方で、ストッパ１１が通らない大きさを有し、ヘラ本体１０の全長の半分よりやや長い深さを有する。
【０００９】
次に、以上のような構成を有するサッシ用溝清掃用具Ｘの使用方法について説明する。使用者は、まず、ヘラ本体１０の一端側又は他端側をブラシアダプタ２０の穴２１に嵌め入れ、第一ヘラ部１２または第二ヘラ部１３のいずれかを表出させた状態にする。図４（ａ）に第一ヘラ部１２を表出させた状態のサッシ用溝清掃用具Ｘの斜視図を示し、図４（ｂ）に第二ヘラ部１３を表出させた状態のサッシ用溝清掃用具Ｘの斜視図を示す。使用者は、図４（ａ）（ｂ）のいずれかの状態で、表出したヘラの幅に適合するサッシの溝をヘラの先端で刮いでいく。溝の全長に渡ってヘラでの作業が完了したら、サッシ用溝清掃用具Ｘの向きを反対にしてブラシアダプタ２０に設けられたブラシ２２により溝を掃いて汚れを、溝の一方に集める。その後、集めた汚れを拭き取ったり、掃除機で吸い取ったりすることで、ひとつの溝の清掃が完了する。次に、ヘラ本体１０をブラシアダプタ２０から引き離し、ヘラ本体１０をひっくり返して、表出していたヘラ部をブラシアダプタ２０の穴２１に挿入してヘラ本体１０にブラシアダプタ２０を固定し、先ほど使用した方と反対側のヘラ部を表出させる。次に、表出したヘラの幅に適合するサッシの溝をヘラの先端で刮いで、溝の全長に渡って汚れを浮かせた後に、ブラシ２２により溝を掃いて汚れを溝の一方に集め、集めた汚れを拭き取ったり、掃除機で吸い取ったりすることで、もう一方の溝の清掃が完了する。
本実施形態に係るサッシ溝用清掃用具Ｘは、以上のような構成により、ひとつの清掃用具で二種類の幅のサッシ用溝に対応でき、また、四角柱の角部をカットした形状により両端のヘラ部を形成しているので、ブラシアダプタ２０はひとつの四角い穴を設けるだけで、ヘラ本体部は一端側からでも他端側からでも挿入固定することができる。
【００１０】
なお、上記実施形態では、ヘラ本体１０の第一ヘラ部１２は正面視長方形の隣り合う二つの角を切り取った形状をし、第二ヘラ部１３は側面視長方形のひとつの角を切り取った形状をしているが、これらは逆でもよく、両方ともが二つの角を切り取った形状でも一つの角を切り取った形状でもよい。
【符号の説明】
【００１１】
Ｘ  サッシ溝用清掃用具
１０  ヘラ本体
１１  本体部
１２  第一ヘラ部
１３  第二ヘラ部
２０  ブラシアダプタ
２１  穴
２２  ブラシ
【図１】
0003180484.tif 000003
【図２】
0003180484.tif 000004
【図３】
0003180484.tif 000005
【図４】
0003180484.tif 000006